(57)【要約】【課題】消費電流低減・高圧燃料ポンプ耐久性向上を図り、かつ、始動時から燃圧上昇を促進することができるエンジンの高圧燃料ポンプ制御装置を提供する。【解決手段】燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、を備える。前記高圧燃料ポンプの吐出量を可変とすべく、前記アクチュエータの駆動信号の出力制御を行う制御手段を有し、該制御手段は、始動開始から前記アクチュエータ駆動信号を所定のクランク角位相で出力することが可能となるまでの期間内において、前記アクチュエータ駆動信号の出力を開始するとともに、該アクチュエータ駆動信号の出力を停止するタイミングを、前記蓄圧室内における燃料圧力が単位時間当たり所定値以上昇圧したとき、と設定する。【選択図】図１８
2008144767.tif 000002
【特許請求の範囲】
【請求項１】
燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、を備えたエンジンの高圧燃料ポンプ制御装置であって、
前記高圧燃料ポンプの吐出量を可変とすべく、前記アクチュエータの駆動信号の出力制御を行う制御手段を有し、
該制御手段は、始動開始から前記アクチュエータ駆動信号を所定のクランク角位相で出力することが可能となるまでの期間内において、前記アクチュエータ駆動信号の出力を開始するとともに、該アクチュエータ駆動信号の出力を停止するタイミングを、前記蓄圧室内の燃料圧力に基づいて設定することを特徴とする高圧燃料ポンプ制御装置。
【請求項２】
前記制御手段は、前記蓄圧室内における燃料圧力が単位時間当たり所定値以上昇圧したとき、又は、始動開始時との圧力差が所定値以上となったとき、前記アクチュエータ駆動信号の出力を停止することを特徴とする請求項１に記載の高圧燃料ポンプ制御装置。
【請求項３】
前記制御手段は、クランク角信号を所定回数以上認識したとき、前記アクチュエータ駆動信号の出力を停止することを特徴とする請求項１又は２に記載の高圧燃料ポンプ制御装置。
【請求項４】
前記制御手段は、前記所定回数をバッテリ電圧に基づいて設定することを特徴とする請求項３に記載の高圧燃料ポンプ制御装置。
【請求項５】
前記制御手段は、前記アクチュエータ駆動信号の出力を開始してから所定期間が経過したとき、その出力を停止することを特徴とする請求項１に記載の高圧燃料ポンプ制御装置。
【請求項６】
前記制御手段は、前記アクチュエータ駆動信号の出力を停止するタイミングを、前記高圧燃料ポンプの吐出範囲を示すクランク角信号又はカム角信号に基づいて設定することを特徴とする請求項１に記載の高圧燃料ポンプ制御装置。
【請求項７】
燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、を備えたエンジンの高圧燃料ポンプ制御装置であって、
前記高圧燃料ポンプの吐出量を可変とすべく、前記アクチュエータの駆動信号の出力制御を行う制御手段を有し、
該制御手段は、始動開始から前記アクチュエータ駆動信号を所定のクランク角位相で出力することが可能となるまでの期間内において、始動開始からのクランク角信号を所定回数以上認識したとき、前記アクチュエータ駆動信号の出力を開始することを特徴とする高圧燃料ポンプ制御装置。
【請求項８】
前記制御手段は、前記蓄圧室内の燃料圧力が所定値以下のとき、前記アクチュエータ駆動信号の出力を開始することを特徴とする請求項７に記載の高圧燃料ポンプ制御装置。
【請求項９】
前記制御手段は、エンジン冷却水温度が所定値以下のとき、前記アクチュエータ駆動信号の出力を開始することを特徴とする請求項７又は８に記載の高圧燃料ポンプ制御装置。
【請求項１０】
前記制御手段は、前記アクチュエータ駆動信号の前回の出力停止から所定期間が経過したとき、前記アクチュエータ駆動信号の出力を開始することを特徴とする請求項７に記載の高圧燃料ポンプ制御装置。
【請求項１１】
前記制御手段は、前記所定期間を、前記アクチュエータ駆動信号の前回の出力時間及び又はクランク角度要求値に基づいて設定することを特徴とする請求項１０に記載の高圧燃料ポンプ制御装置。
【請求項１２】
前記制御手段は、前記アクチュエータ駆動信号の出力を開始するタイミングを、前記高圧燃料ポンプの吐出範囲を示すクランク角信号又はカム角信号に基づいて設定することを特徴とする請求項７に記載の高圧燃料ポンプ制御装置。
【請求項１３】
燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、を備えたエンジンの高圧燃料ポンプ制御装置であって、
前記高圧燃料ポンプの吐出量を可変とすべく、前記アクチュエータの駆動信号の出力制御を行う制御手段を有し、
該制御手段は、始動開始から前記アクチュエータ駆動信号を所定のクランク角位相で出力することが可能となるまでの期間内において、前記アクチュエータ駆動信号を所定期間連続して出力することを特徴とする高圧燃料ポンプ制御装置。
【発明の詳細な説明】
【技術分野】
【０００１】
本発明は、エンジンの高圧燃料ポンプ制御装置に係り、特に、燃料噴射弁に圧送される高圧燃料の吐出量を可変に調節できる高圧燃料ポンプ制御装置に関する。
【背景技術】
【０００２】
現在の自動車は、環境保全の観点から自動車の排出ガスに含まれる一酸化炭素（ＣＯ）、炭化水素（ＨＣ）、窒素酸化物（ＮＯｘ）等の特定物質の削減、つまり、排気エミッション特性の向上、及び、燃費の向上が要求されており、これらの要求を満たすため、ダイレクトインジェクションエンジン（筒内噴射エンジン）の開発が行われている。かかる筒内噴射エンジンは、燃料噴射弁による燃料噴射を気筒の燃焼室内に直接行うものであり、燃料噴射弁から噴射される燃料の粒径を小さくすることによって前記噴射燃料の燃焼を促進し、排気エミッション特性及びエンジン出力の向上等を図っている。
【０００３】
ここで、燃料噴射弁から噴射される燃料の粒径を小さくするには、燃料の高圧化を図る手段が必要になり、このため、燃料噴射弁に高圧の燃料を圧送する高圧燃料ポンプが使用されている。
【０００４】
高圧燃料ポンプの１つの形態として、加圧室と、この加圧室内の燃料を加圧するプランジャと、前記加圧室内に設けられた燃料通過弁（吸入弁）と、この通過弁を操作するアクチュエータとを有し、吐出行程（プランジャ上昇行程）において前記通過弁を閉じることにより、燃料を燃料蓄圧室（コモンレール）に圧送するようにしたものがある。
【０００５】
このポンプに対する制御においては、燃料圧力に応じて前記通過弁を閉じるタイミングを設定し、カム角信号とクランク角信号とから生成したＲＥＦ信号を基準にして、前記設定されたタイミングに角度又は時間制御でアクチュエータ駆動信号であるソレノイド駆動信号（パルス）を出力することにより、前記通過弁を閉じる。
【０００６】
しかし、エンジン始動開始（クランキング開始）直後には、カム角及びクランク角の位相が確定しておらず、前記ＲＥＦ信号は生成されない。このため、前記通過弁を閉じるタイミングを設定することは不可能である。そこで、始動開始直後、つまり、始動開始からクランク角とカム角の位相が確定するまでの期間内における高圧燃料ポンプ制御技術が種々提案されている。
【０００７】
例えば、下記特許文献１には、クランク角信号を認識してからクランク角とカム角の位相が確定するまでの期間内に、つまり、始動開始から前記アクチュエータ駆動信号を所定のクランク角位相で出力することが可能となるまでの期間内において、前記アクチュエータ駆動信号（パルス）を少なくとも２回以上出力することが提案されている。
【０００８】
また、下記特許文献２には、クランク軸に駆動連結された高圧燃料ポンプを有する筒内噴射式エンジンの始動時において、クランク角の位相が確定するタイミングより前は、高圧燃料ポンプのスピル弁に対する通電を、非常に短い時間からなるサイクルでデューティ制御をし、クランク角の位相が確定した後は、かかるデューティー制御による燃圧制御を中止して、所定のタイミング毎にスピル弁の閉弁開始タイミングを設定し、その設定した閉弁開始タイミングでスピル弁を閉弁させることにより、燃料を昇圧する。前者と後者の燃圧制御を切り換えるタイミングを、高圧燃料ポンプの吐出行程開始直後から所定の閉弁開始タイミング算出タイミングまでの期間に設定している。
【０００９】
【特許文献１】特開２００１−１８２５９７号公報（第１〜２４頁、図１〜図２２）
【特許文献２】特開２００３−４１９８２号公報（第１〜１３頁、図１〜図９）
【発明の開示】
【発明が解決しようとする課題】
【００１０】
前記特許文献１に記載の高圧燃料ポンプ制御装置においては、実質的に、始動開始からクランク角とカム角の位相が確定するまでの期間内は、アクチュエータ駆動信号（パルス）を（何回も）出力するので、高圧燃料ポンプのアクチュエータへの通電時間が増し、消費電流が多くなることに加え、アクチュエータを構成するソレノイドに熱的ダメージ等を与えやすくなる可能性があり、その耐久性が低下する虞がある。
【００１１】
また、前記特許文献２に記載の技術は、エンジン始動時における高圧燃料ポンプの圧送抜け回避を目的としており、また、切換タイミングの設定にクランク角信号を使用している。高圧燃料ポンプがカム軸に駆動連結されている場合、確実に昇圧するためには、前記のように非常に短い時間からなるサイクルでデューティ制御をクランク軸とポンプ駆動カムとの最大取り付けバラツキを考慮した期間設定にしなければならず、バラツキが少ない場合には余分な信号を出力し、消費電流が多くなることとなる。
【００１２】
さらにまた、前記従来の各技術は、クランク角の位相確定前には、設定された閉弁開始タイミングによる制御は不可能であるので、タイミング制御ではない駆動信号設定手段による制御を行う等については記載されているものの、クランク角の位相確定前に前記制御を行うか否かの判定についてはいずれも格別の配慮がなされていない。加えて、前記従来の各技術は、デューティ制御を行うため、ポンプ吐出行程に開弁信号（駆動出力ＯＦＦ）を出力する期間があるため、ポンプ吸入弁を確実に閉弁できない可能性、すなわち、昇圧しない可能性がある。
【００１３】
本発明は、このような問題に鑑みてなされたものであり、その目的とするところは、燃料噴射弁に供給される燃料の圧力を目標とする燃圧に確実に制御することができて、良好な燃焼を実現するとともに、排気エミッション特性及び燃費の向上を図ることができることに加え、高圧燃料ポンプの耐久性向上・消費電流の低減を可能とするエンジンの高圧燃料ポンプ制御装置を提供することにある。
【課題を解決するための手段】
【００１４】
前記目的を達成すべく、本発明に係る高圧燃料ポンプ制御装置は、基本的には、燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、を備えたエンジンに適用されるもので、前記高圧燃料ポンプの吐出量を可変とすべく、前記アクチュエータの駆動信号の出力制御を行う制御手段を有し、該制御手段は、始動開始から前記アクチュエータ駆動信号を所定のクランク角位相で出力することが可能となるまでの期間内において、前記アクチュエータ駆動信号の出力を開始するとともに、該アクチュエータ駆動信号の出力を停止するタイミングを、前記蓄圧室内の燃料圧力に基づいて設定するようにされる。
【００１５】
好ましい態様では、前記制御手段は、前記蓄圧室内における燃料圧力が単位時間当たり所定値以上昇圧したとき、又は、始動開始時との圧力差が所定値以上となったとき、前記アクチュエータ駆動信号の出力を停止するようにされる。
【００１６】
前記制御手段は、好ましくは、クランク角信号を所定回数以上認識したとき、前記アクチュエータ駆動信号の出力を停止するようにされる。
【００１７】
前記制御手段は、好ましくは、前記所定回数をバッテリ電圧に基づいて設定するようにされる。
【００１８】
前記制御手段は、好ましくは、前記アクチュエータ駆動信号の出力を開始してから所定期間が経過したとき、その出力を停止するようにされる。
【００１９】
前記制御手段は、好ましくは、前記アクチュエータ駆動信号の出力を停止するタイミングを、前記高圧燃料ポンプの吐出範囲を示すクランク角信号又はカム角信号に基づいて設定するようにされる。
【００２０】
本発明に係る高圧燃料ポンプ制御装置の他の好ましい態様では、前記制御手段は、始動開始から前記アクチュエータ駆動信号を所定のクランク角位相で出力することが可能となるまでの期間内において、始動開始からのクランク角信号を所定回数以上認識したとき、前記アクチュエータ駆動信号の出力を開始するようにされる。
【００２１】
前記制御手段は、好ましくは、前記蓄圧室内の燃料圧力が所定値以下のとき、前記アクチュエータ駆動信号の出力を開始するようにされる。
【００２２】
前記制御手段は、好ましくは、エンジン冷却水温度が所定値以下のとき、前記アクチュエータ駆動信号の出力を開始するようにされる。
【００２３】
前記制御手段は、好ましくは、前記アクチュエータ駆動信号の前回の出力停止から所定期間が経過したとき、前記アクチュエータ駆動信号の出力を開始するようにされる。
【００２４】
前記制御手段は、好ましくは、前記所定期間を、前記アクチュエータ駆動信号の前回の出力時間及び又はクランク角度要求値に基づいて設定するようにされる。
【００２５】
前記制御手段は、好ましくは、前記アクチュエータ駆動信号の出力を開始するタイミングを、前記高圧燃料ポンプの吐出範囲を示すクランク角信号又はカム角信号に基づいて設定するようにされる。
【００２６】
本発明に係る高圧燃料ポンプ制御装置の他の好ましい態様では、前記制御手段は、始動開始から前記アクチュエータ駆動信号を所定のクランク角位相で出力することが可能となるまでの期間内において、前記アクチュエータ駆動信号を所定期間連続して出力するようにされる。
【発明の効果】
【００２７】
本発明に係るエンジンの高圧燃料ポンプ制御装置は、始動開始からソレノイド駆動信号を所定のクランク角位相で出力することが可能となるまでの期間内において、ソレノイド駆動信号の出力を開始するとともに、蓄圧室内における燃料圧力が単位時間当たり所定値以上昇圧したとき、あるいは、始動開始時との圧力差が所定値以上となったとき、前記ソレノイド駆動信号の出力を停止するようにされるので、燃料圧力を所要圧力まで確実に昇圧することができ、良好な燃焼へのロバスト性が向上し、かつ、従来例に比べて、始動時におけるソレノイドのトータル通電時間を短縮することができるので、高圧燃料ポンプの耐久性向上及び消費電流低減化等を図ることができる。
【００２８】
また、ソレノイド駆動信号の出力開始タイミングを、始動開始時点より遅くされるので、ソレノイドのトータル通電時間を短縮することができ、より一層、高圧燃料ポンプ６０の耐久性向上及び消費電流低減化等を図ることができる。
【発明を実施するための最良の形態】
【００２９】
以下、本発明のエンジンの高圧燃料ポンプ制御装置の実施の形態を図面を参照しながら説明する。
【００３０】
図１は、本発明の一実施形態を、それが適用された車載用筒内噴射式エンジンの一例と共に示すエンジンの全体構成図である。
【００３１】
図示の筒内噴射式エンジン１０は、例えば４つの気筒＃１，＃２，＃３，＃４を有する直列４気筒エンジンであって、シリンダヘッド１１と、シリンダブロック１２と、このシリンダブロック１２内に摺動自在に嵌挿されたピストン１５とを有し、該ピストン１５上方には燃焼室１７が画成される。燃焼室１７には、点火コイル３４から高電圧が印加される点火プラグ３５及び燃焼室１７内に直接燃料を噴射する燃料噴射弁３０が臨設されている。なお、図において、点火プラグ３５及び燃料噴射弁３０は、便宜上、燃焼室１７の天井部の左右に並設されているが、それらの配設位置は適宜に設定可能である。
【００３２】
燃料の燃焼に供せられる空気は、吸気通路２０の始端部に設けられたエアクリーナ２１の入口部２１ａから取り入れられ、エアフローセンサ２４を通り、電制スロットル弁２５が収容されたスロットルボディ２６を通ってコレクタ２７に入り、このコレクタ２７から前記吸気通路２０の下流部分を形成する分岐通路部及びその下流端に配在された、吸気カムシャフト２９により開閉駆動される吸気弁２８を介して各気筒＃１、＃２、＃３、＃４の燃焼室１７に吸入される。
【００３３】
燃焼室１７に吸入された空気と燃料噴射弁３０から噴射された燃料との混合気は、点火プラグ３５により点火されて爆発燃焼せしめられ、その燃焼廃ガス（排ガス）は、排気カムシャフト４９により開閉駆動される排気弁４８を介して排気通路４０に排出され、排気通路４０に配備された触媒コンバータ４６で浄化された後、外部に排出される。
【００３４】
一方、前記燃料噴射弁３０から噴射されるガソリン等の燃料は、燃料タンク５０から低圧燃料ポンプ５１により一次加圧されて燃料圧力レギュレータ５２により一定の圧力（例えば３ｋｇ／ｃｍ２）に調圧されるとともに、排気カムシャフト４９に設けられたポンプ駆動カム４７により駆動される高圧燃料ポンプ６０において、より高い圧力に二次加圧（例えば５０ｋｇ／ｃｍ２）されて燃料蓄圧室（コモンレール）５３へ圧送され、この蓄圧室５３から燃料が気筒#１、#２、#３、#４毎に設けられた燃料噴射弁３０に供給される。燃料噴射弁３０に供給される燃料の圧力（燃圧）は燃圧センサ５６により検出されるようになっている（後で詳述）。
【００３５】
そして、本実施形態の高圧燃料ポンプ制御装置１においては、高圧燃料ポンプ６０を含むエンジン１０の種々の制御を行うため、マイクロコンピュータを内蔵するコントロールユニット１００が備えられている。
【００３６】
コントロールユニット１００は、基本的には、図２に示される如くに、ＭＰＵ１０１、ＥＰ−ＲＯＭ１０２、ＲＡＭ１０３、及び、Ａ／Ｄ変換器を含むＩ／ＯＬＳＩ１０４等で構成され、入力信号として、エアフローセンサ２４により検出される吸入空気量に応じた信号、燃圧センサ５６により検出される燃料圧力に応じた信号、スロットルセンサ２３により検出されるスロットル弁２５の開度に応じた信号、カム角センサ３６からの排気カムシャフト４９の位相（回転位置）検出信号、クランク角センサ３７からのクランクシャフト１８の回転角度・位相（回転位置）検出信号、排気通路４０に配設された空燃比センサ４４により検出される排ガス中の例えば酸素濃度に応じた信号、シリンダブロック１２に配設された水温センサ１９により検出されるエンジン冷却水温度に応じた信号の他、図１には図示されていないイグニッションスイッチからの始動開始（クランキング開始）を示す信号等が供給される。
【００３７】
コントロールユニット１００は、前記各信号を所定の周期をもって取り込み、所定の演算処理を実行し、この演算結果として算定された制御信号を、各燃料噴射弁３０、点火コイル３４、高圧燃料ポンプ６０、低圧燃料ポンプ５１、電制スロットル弁２５、等に供給して、燃料噴射（噴射量、噴射時期）制御、点火時期制御、燃料圧力制御、スロットル弁２５の開度制御等を実行する。
【００３８】
そして、本実施形態の高圧燃料ポンプ制御装置１においては、高圧燃料ポンプ６０に備えられているアクチュエータ（ソレノイド９０）に対する制御（駆動）信号の出力制御に特徴を有するものであり、これを以下に詳細に説明する。
【００３９】
図３は、高圧燃料ポンプ６０を備えた燃料供給システムの全体構成を示し、図４は、高圧燃料ポンプ６０の拡大縦断面を示している。
【００４０】
前記高圧燃料ポンプ６０は、燃料タンク５０からの燃料を加圧して蓄圧室５３に高圧の燃料を圧送するものであり、シリンダ室６７と、ポンプ室６８と、ソレノイド室６９とからなり、前記シリンダ室６７は、前記ポンプ室６８の下方に配置され、前記ソレノイド室６９は、前記ポンプ室６８の吸入側に配置されている。
【００４１】
前記シリンダ室６７には、プランジャ６２、リフタ６３、プランジャ下降ばね６４が配在され、前記プランジャ６２は、排気カムシフト４９に設けられてそれと一体回転するポンプ駆動カム４７に圧接せしめられたリフタ６３を介して往復動せしめられ、加圧室７２の容積を変化させる。
【００４２】
前記ポンプ室６８は、低圧燃料の吸入通路７１、加圧室７２、高圧燃料の吐出通路７３から構成され、吸入通路７１と加圧室７２との間には、燃料通過弁とされる吸入弁６５が設けられている。この吸入弁６５は、燃料の流通方向を制限する逆止弁であり、閉弁ばね６５ａにより閉弁方向（ポンプ室６８からソレノイド室６９に向かう方向）に付勢されている。前記加圧室７２と吐出通路７３との間には吐出弁６６が設けられており、前記吐出弁６６もまた、燃料の流通方向を制限する逆止弁であり、閉弁ばね６６ａにより閉弁方向に付勢されている。なお、閉弁ばね６５ａは、プランジャ６２による加圧室７２内の容積変化により、吸入弁６５を挟んで、加圧室７２側の圧力が吸入通路７１側の圧力に対して同等又はそれ以上になった場合には、前記吸入弁６５を閉弁させるように付勢するものである。
【００４３】
前記ソレノイド室６９には、アクチュエータであるソレノイド９０、吸入弁操作部材９１、及び開弁ばね９２が配在されており、前記吸入弁操作部材９１は、前記吸入弁６５に相対する位置に配在され、その先端（ロッド部）が前記吸入弁６５に接離自在に接当せしめられ、ソレノイド９０が通電励磁されると、その電磁力によりソレノイド室６９側に吸引され、これによって、前記吸入弁６５が閉弁方向に移動せしめられる。一方、ソレノイド９０が通電励磁されていない状態では、前記吸入弁操作部材９１の後端に圧接する開弁ばね９２の付勢力により、前記吸入弁６５は、前記吸入弁操作部材９１を介して開弁方向に移動せしめられ、開弁状態にされる。
【００４４】
燃料タンク５０から燃料ポンプ５１及び燃圧レギュレータ５２を介して所定圧力に調圧された燃料は、前記ポンプ室６８の吸入通路７１に導かれ、その後、前記ポンプ室６８内の加圧室７２で前記プランジャ６２の往復動により加圧され、前記ポンプ室６８の吐出通路７３から蓄圧室５３に圧送される。
【００４５】
前記蓄圧室５３には、燃圧センサ５６が設けられており、コントロールユニット１００は、クランク角センサ３７、カム角センサ３６、及び燃圧センサ５６からの各検出信号に基づいて、ソレノイド９０に対する制御（駆動）信号を出力して高圧燃料ポンプ６０の燃料吐出量の制御を行う。なお、前記蓄圧室５３と燃料タンク５０との間には、配管系破損の防止を図るべく、リリーフ弁５７が配在されており、このリリーフ弁５７は、前記蓄圧室５３内の圧力が所定値を超えた場合に開弁されるようになっている。
【００４６】
図５は、前記高圧燃料ポンプ６０の動作タイムチャートを示している。なお、ポンプ駆動カム４７で駆動されるプランジャ６２の実際のストローク（実位置）は、図６の下段に示される如くの曲線になるが、上死点と下死点の位置を分かり易くするため、図６以外のプランジャ６２のストローク示されている図（図５、図９、図１０、図１７、図１８、図１８）においては、プランジャ６２のストロークは直線的に描かれている。
【００４７】
プランジャ６２が、前記ポンプ駆動カム４７の回転によりプランジャ下降ばね６４の付勢力に応じて上死点側から下死点側に移動すると、前記ポンプ室６８の吸入行程が行われる。この吸入行程では、前記吸入弁操作部材９１が開弁ばね９２の付勢力に応じて吸入弁６５を開弁方向に移動させる。これにより、加圧室７２内の圧力が低下する。
【００４８】
次に、プランジャ６２が、前記カム４７の回転によりプランジャ下降ばね６４の付勢力に抗して下死点側から上死点側に移動すると、前記ポンプ室６８の圧縮行程が行われる。この圧縮行程では、コントロールユニット１００からアクチュエータであるソレノイド９０の駆動信号が出力されてソレノイド９０が通電励磁状態（ＯＮ状態）にされると、前記吸入弁操作部材９１が開弁ばね９２の付勢力に抗して吸入弁６５を閉弁させる方向に移動せしめられ、その先端が前記吸入弁６５から離間して、前記吸入弁６５が閉弁ばね６５ａの付勢力に応じて閉弁方向に移動する。これにより、加圧室７２内の圧力が上昇する。
【００４９】
そして、前記吸入弁操作部材９１がソレノイド９０側に最も吸引され、プランジャ６２の往復動に同期する吸入弁６５が閉弁して加圧室７２内の圧力が高くなると、加圧室７２内の燃料が吐出弁６６を押圧し、該吐出弁６６は、閉弁ばね６６ａの付勢力に抗して自動的に開弁し、加圧室７２の容積減少分の高圧燃料が蓄圧室５３側に吐出される。なお、ソレノイド９０の通電（駆動信号の出力）は、前記吸入弁６５がソレノイド９０側に移動せしめられて閉弁されると停止（ＯＦＦ）されるが、上記のように、前記加圧室７２内の圧力が高いため、吸入弁６５は閉弁状態で維持されて蓄圧室５３側への燃料の吐出が行われる。
【００５０】
また、プランジャ６２が、前記カム４７の回転によりプランジャ下降ばね６４の付勢力に応じて上死点側から下死点側に移動すると、前記ポンプ室６８の吸入行程が行われ、前記加圧室７２内の圧力低下に伴って、前記吸入弁操作部材９１が開弁ばね９２の付勢力に応じて吸入弁６５を開弁する方向に移動せしめられるともに、吸入弁６５がプランジャ６２の往復動に同期して自動的に開弁し、前記吸入弁６５の開弁状態が保持される。そして、加圧室７２内は圧力の低下が生じていることにより吐出弁６６の開弁が行われない。以後前記動作を繰り返す。
【００５１】
よって、前記プランジャが上死点に達する前の圧縮行程の途中で、ソレノイド９０がＯＮ状態（通電励磁状態）にされると、蓄圧室５３への燃料圧送が行われ、また、燃料圧送が一度始まれば、加圧室７２内の圧力は上昇しているので、その後に、ソレノイド９０をＯＦＦ状態にしても、吸入弁６５は閉弁状態を維持する一方で、吸入行程の始まりに同期して自動開弁することができる。そのため、ソレノイド９０の駆動信号の出力開始タイミングにより、蓄圧室５３側への燃料の吐出量を調節することができる。さらに、圧力センサ５６からの信号に基づき、適切な出力開始タイミングを設定して、ソレノイド９０をコントロールすることにより、蓄圧室５３の圧力を目標値にフィードバック制御することができる。
【００５２】
図７は、コントロールユニット１００が実行する高圧燃料ポンプ制御の機能ブロック図である。コントロールユニット１００は、基本角度算出手段７０１、目標燃圧算出手段７０２、燃圧入力処理手段７０３、ソレノイド制御信号を算定する手段の一態様であるポンプ制御信号算定手段７５０、及び、前記ソレノイド９０を通電励磁するための駆動信号を出力するソレノイド駆動手段７０７、を備えている。
【００５３】
基本角度算出手段７０１は、運転状態に基づいてソレノイド９０を通電励磁状態（ＯＮ状態）にするためのソレノイド制御信号の基本角度BASANGを算出する。ここで、図１１に、吸入弁６５の閉弁タイミングと高圧燃料ポンプ吐出量の関係を示す。基本角度BASANGは、要求燃料噴射量と高圧燃料ポンプ吐出量を釣り合わせるための、前記吸入弁６５の閉弁タイミング（クランク角度）の設定に用いられる。目標燃圧算出手段７０２は、同じく運転状態に基づきその動作点に最適な目標燃圧Ptargetを算出する。燃圧入力処理手段７０３は、燃圧センサ５６の信号をフィルタ処理し、実燃圧である計測燃圧Prealを求める。そして、ポンプ制御信号算定手段７５０は、前記した基本角度BASANG、目標燃圧Ptarget、及び、計測燃圧Prealに基づいてポンプ制御信号（ソレノイド制御信号）を算定する。ソレノイド駆動手段７０７は、ポンプ制御信号算定手段７５０からのソレノイド制御信号に応じた、前記ソレノイド９０を通電励磁するためのソレノイド駆動信号を出力する（後で詳述）。
【００５４】
図８は、前記ポンプ制御信号算定手段７５０の、より詳細な構成を示す機能ブロック図である。ポンプ制御信号算定手段７５０は、基本的には、ソレノイド９０の駆動信号（パルス）の出力開始タイミングを演算する基準角度演算手段７０４と、その駆動信号の幅（パルス幅＝通電時間）を算出するポンプ信号通電時間算出手段７０６とを備え、基準角度演算手段７０４は、基本角度算出手段７０１により算出される基本角度BASANG、目標燃圧算出手段７０２により算出される目標燃圧Ptarget、及び、燃圧入力処理手段７０３により算出される計測燃圧Prealに基づいて、前記駆動信号の出力開始の基準となる基準角度REFANGを演算する。
【００５５】
そして、前記基準角度REFANGに、ソレノイド作動遅れ補正手段７０５により求められる作動遅れ補正分PUMREを加えて、ソレノイド９０の駆動信号の出力開始角度STANGを計算し、それをソレノイド９０の駆動信号の出力開始タイミングとしてソレノイド駆動手段７０７に送る。
【００５６】
また、前記ポンプ信号通電時間算出手段７０６は、運転条件に基づいて高圧燃料ポンプ６０のソレノイド９０の通電時間TPUMKEを演算し、それをソレノイド駆動手段７０７に送る。ソレノイド駆動手段７０７は、前記出力開始角度STANGと前記通電時間TPUMKEとに基づいてソレノイド９０に駆動信号を出力してその通電励磁を行う。前記通電時間TPUMKEの値は、バッテリ電圧が低くソレノイド抵抗が大きい、ソレノイド吸引力発生最悪条件においてであっても、加圧室７２の圧力で吸入弁６５を閉じられるようになるまで吸入弁操作部材９１を保持し、確実に吸入弁６５を閉弁できる値に設定する。また、ソレノイド作動遅れ補正手段７０５は、ソレノイド９０の電磁力、ひいては作動遅れ時間がバッテリ電圧によって変わることから、バッテリ電圧に基づいてソレノイド作動遅れ補正分PUMREを算出する。
【００５７】
図９は、コントロールユニット１００による高圧燃料ポンプ制御のタイムチャートを示す。コントロールユニット１００は、カム角センサ３６からの検出信号（カム角信号＝ＣＡＭ信号）とクランク角センサ３７からの検出信号（クランク角信号＝CRANK信号）に基づいて、各気筒#１、#２、#３、#４（CYL1、CYL2、CYL3、CYL4）におけるピストン１５の圧縮行程上死点位置を検知し、燃料噴射制御及び点火時期制御を行うとともに、前記プランジャ６２のストロークを検知して、高圧燃料ポンプ６０のアクチュエータであるソレノイド９０の駆動信号の出力制御を行う。なお、高圧燃料ポンプ制御に使用されるＲＥＦ信号は、クランク角信号とカム角信号とに基づいて生成され、１ＲＥＦおきに存在する高圧燃料ポンプ吸入行程上のＲＥＦの立ち上がりを基準点としている。以下、前記基準点とするＲＥＦの立ちあがりを「基準ＲＥＦ」と称す。
【００５８】
ここで、図９のクランク角信号（CRANK信号）の信号が欠けた部分（破線部分）は、クランク角信号とカム角信号の位相検出の起点となるものであり、気筒＃１（CYL1）の上死点、又は気筒＃４（CYL4）の上死点から所定の位相分（クランク角度分）ずれた位置にある。そして、コントロールユニット１００は、前記クランク角信号の信号が欠けたときに、前記カム角信号がＨｉ（高）又はＬｏ（低）であるかによって、気筒＃１（CYL1）側か、気筒＃４（CYL4）側かを判別し、その後、初回ＲＥＦ信号を生成する。また、高圧燃料ポンプ６０の燃料吐出は、ソレノイド駆動信号の立ち上がりからソレノイド９０の作動遅れ分PUMREとされる所定時間経過後に開始される一方で、この燃料吐出は、ソレノイド駆動信号の出力が終了しても加圧室７２の圧力によって吸入弁６５が押されて（閉弁して）いるので、プランジャ６２のストロークが上死点に達するまで続けられる。
【００５９】
図１０は、上記燃圧制御に使用されるソレノイド駆動信号の出力開始角度STANGや通電時間TPUMKE等のパラメータを示したものである。ソレノイド駆動信号の出力タイミングである出力開始角度STANGは、下記の（式１）のように求めることができる。
STANG＝REFANG−PUMRE………（式１）
【００６０】
ここで、REFANGは、エンジン１０の運転状態に基づいて基準角度算出手段７０４で算出される。PUMREはポンプ遅れ角度であり、ソレノイド作動遅れ補正手段７０５で算出され、例えば、バッテリ電圧により変化するアクチュエータ駆動時間、すなわち、ソレノイドに対する通電量に応じた吸入弁操作部材９１の作動遅れを表している。また、ソレノイド９０の駆動信号の幅（パルス幅）である通電時間TPUMKEは、バッテリ電圧と運転状態（エンジン回転数等）に基づいて算出される。
【００６１】
そして、出力開始角度STANGによって、基準ＲＥＦからどれくらいで吸入弁６５を閉じさせるソレノイド駆動信号を出力するか、すなわち、ソレノイド駆動信号の出力開始タイミングが設定され、一方、前記通電時間TPUMKEによって、前記ソレノイド駆動信号をどれくらいの時間出力し続けるか、すなわち、ソレノイド駆動信号のパルス幅、言い換えれば、ソレノイド駆動信号の出力停止タイミングが設定される。以降、出力開始角度STANGによるソレノイド９０の制御を「基本制御」と呼ぶ。
【００６２】
よって、「基本制御」はＲＥＦ信号が必要不可欠であるため、始動開始から初回の基準ＲＥＦが認識されるまでは、「基本制御」とは異なる形態の制御が行なわれる。この制御を「始動制御」と称し、以下、この始動制御の例を説明する。
【００６３】
図１２は、コントロールユニット１００が実行する前記始動制御の一例の機能ブロック図である。コントロールユニット１００は、目標燃圧算出手段７０２、燃圧入力処理手段７０３、始動時ポンプ制御信号算定手段１２０１、及び、前記ソレノイド９０を通電励磁するための駆動信号を出力するソレノイド駆動手段７０７を備える。
【００６４】
前記始動時ポンプ制御信号算定手段１２０１は、クランク角センサ３７、カム角センサ３６、燃圧センサ５６、水温センサ１９等からの各信号及びバッテリ電圧に基づいてソレノイド制御信号を算定する。
【００６５】
図１３に、前記始動時ポンプ制御信号算定手段１２０１及びソレノイド駆動手段７０７で行われる処理のフローチャートを示す。ステップ１３０１では割込み処理が始まるが、割込み処理は、例えば１０ｍｓ毎のように時間周期でも、例えばクランク角度１０ｄｅｇ毎のように回転周期でもよい。ステップ１３０２で基準ＲＥＦ認識前であるか否かを判定する。基準ＲＥＦ認識前である場合はステップ１３０３へ進む。前述のように、基準ＲＥＦを認識した後は、「基本制御」に切り換える。ステップ１３０３では、駆動信号出力開始フラグが「オン」であるか否かを判定する。
【００６６】
ここで、図１４に、前記ステップ１３０３で実行する駆動信号出力開始フラグ判定処理のフローチャートを示す。駆動信号出力開始フラグは、初期設定で（エンジン始動開始時に）「オフ」と設定され、ステップ１４０１で割込み処理が始まる。ステップ１４０２では、始動開始からのクランク角信号（パルス）を所定回数（Ａ）以上認識したか否かを判定する。これは、コントロールユニット１００への電源投入時にクランク角信号入力のノイズを検出し、誤作動をすることを防ぐためである。よって、前記所定回数（Ａ）はノイズの影響を受けない範囲において小さな数字に設定する。
【００６７】
ステップ１４０３では、燃圧センサ５６からの検出信号に基づいて燃圧が所定値以下であるか否かを判定する。前記燃圧が目標燃圧以上である場合、駆動信号を出力すると噴射開始時には目標燃圧を上回るため燃焼を悪化させる可能性がある。よって、ステップ１４０３における所定値は目標燃圧に設定する。燃圧が所定値以下である場合、ステップ１４０４に進む。ステップ１４０４では、冷却水温度が所定値以下であるか否かを判定する。冷却水温度が所定値以上である場合、ソレノイド９０の温度が高いことを示しており、駆動信号を出力するとソレノイド９０の耐久性を低下させる可能性がある。なお、本例ではソレノイド９０の温度を推定するのに冷却水温度を用いているが、エンジン油温・燃料温度等を使用しても良い。また、直接、ソレノイド９０の温度を検出するようにしても良い。冷却水温度が所定値以下である場合、ステップ１４０５に進む。ステップ１４０５では、前回の駆動信号の出力終了時から所定期間が経過したか否かを判定し、前記所定期間が経過している場合、駆動信号出力開始フラグを「オン」とする。
【００６８】
ここで、図１６に、前記所定期間が経過したか否かの判定に至るまでの処理を機能ブロック図で示す。次回の出力開始までの期間が短い場合、ソレノイド９０の温度が上昇したままであり、ソレノイド９０の耐久性を低下させる可能性がある。このため、ソレノイド９０の冷却時間が必要である。冷却に必要な時間はソレノイド９０の温度、すなわち駆動信号出力時間と比例することから、前回の駆動信号出力時間を入力として冷却時間要求値を算出する（ブロック１６０１）。また、始動から基準ＲＥＦ認識までに吐出行程が２度来る可能性があることから、出力終了から所定クランク角度後、高圧燃料ポンプが全吐出できる位置で再度出力を開始する要求をしなければならない。前記所定クランク角度をクランク角度要求値（図１７）とし（ブロック１６０２）、前記クランク角度要求値は、プランジャ６２の１往復分の角度以下に設定される。ブロック１６０３において、冷却時間要求値とクランク角度要求値との大きい方を前記所定期間とする。
【００６９】
前記した図１３のステップ１３０３において、駆動信号出力開始フラグが「オン」であると判定された場合、ステップ１３０４に進み、駆動信号出力終了フラグが「オフ」であるか否かを判定する。
【００７０】
ここで、図１５に、前記ステップ１３０４で実行する駆動信号出力終了フラグ判定処理のフローチャートを示す。駆動信号出力終了フラグは、初期設定で（エンジン始動開始時に）「オフ」と設定し、ステップ１５０１で割込み処理が始まる。ステップ１５０２では、燃圧が所定値以上昇圧したか否かを判定する。単位時間前（例えば２０［ｍｓ］前）の燃圧をＲＡＭ１０３に記憶しておき、現在の燃圧と比較することにより所定値以上昇圧したか否かを判定し、所定値以上昇圧している場合は、高圧燃料ポンプ６０が吐出を開始したことを示しているので、駆動信号出力終了フラグを「オン」とする。前記所定値は、駆動信号出力を終了した場合でも吸入弁６５の閉弁状態が維持される値を設定する。
【００７１】
続くステップ１５０３では、始動開始からのクランク角信号（パルス）を所定回数（Ｂ）以上認識したか否かを判定する。これは、ステップ１５０２で、高圧燃料ポンプ６０が吐出を開始したにもかかわらず、蓄圧室５３内に気泡等があり昇圧を認識できなかった場合に、駆動信号の出力を終了するために行う。ステップ１５０４では、駆動信号出力開始から所定期間が経過したか否かを判定する。これは、基準ＲＥＦ認識前にエンジンが停止し、昇圧もせず、クランク角信号も停止した場合に、駆動信号の出力を終了するために行う。よって、前記出力開始からの前記所定期間は、基準ＲＥＦ認識までに要する最長時間に設定する。
【００７２】
図１３のステップ１３０４において、駆動信号出力終了フラグが「オフ」であると判定された場合、ステップ１３０５に進み、ソレノイド駆動信号を出力する。このとき出力する信号は、連続的な信号（デューティ１００％）とする。これは、ソレノイド９０に通電を開始したとき、加圧室７２内の圧力が高くなる前に通電を停止すると、吸入弁６５を確実に閉弁できないおそれがあり、この場合は吸入弁６５が開弁状態となり、高圧燃料が蓄圧室５３側に吐出されない可能性があることを防止するためである。
【００７３】
また、前記したステップ１３０３で駆動信号出力開始フラグが「オフ」の場合、及び、ステップ１３０４で駆動信号出力終了フラグが「オン」である場合は、ソレノイド駆動信号の出力を禁止（停止）する。
【００７４】
以上述べたように、本実施形態では、図１８にタイムチャートで示されているように、始動開始から基準ＲＥＦが認識されるまでの期間内において、言い換えれば、始動開始からソレノイド駆動信号を所定のクランク角位相で出力することが可能となるまでの期間内において、ソレノイド駆動信号の出力を開始するとともに、蓄圧室５３内における燃料圧力が単位時間当たり所定値以上昇圧したとき、前記ソレノイド駆動信号の出力を停止するようにされるので、燃料圧力を所要圧力まで確実に昇圧することができ、良好な燃焼へのロバスト性が向上し、かつ、従来例に比べて、始動開始から基準ＲＥＦが認識されるまでの期間内におけるソレノイド９０のトータル通電時間を短縮することができるので、高圧燃料ポンプ６０の耐久性向上及び消費電流低減化等を図ることができる。
【００７５】
なお、上記実施形態では、ソレノイド駆動信号の出力を停止するタイミングを、蓄圧室５３内における燃料圧力が単位時間当たり所定値以上昇圧したとき、と設定されているが、それに代えて、前記出力停止タイミングを、始動開始時との圧力差が所定値以上となったとき、等に設定してもよい。
【００７６】
次に、本発明に係る高圧燃料ポンプ制御装置の他の実施形態による前記始動制御の例を図１９を参照しながら説明する。本実施形態では、図１に示される実施形態におけるクランク角センサ３７及びカム角センサ３６から得られる信号に基づいて、高圧燃料ポンプ吐出制御領域開始角度（タイミング）及び高圧燃料ポンプ吐出制御領域終了角度（タイミング）を設定するためのプランジャ信号が生成される。
【００７７】
ここで、前述のように、ソレノイド９０の駆動制御は、その作動遅れとそれに伴う吸入弁操作部材９１の作動遅れを考慮して行われる。よって、高圧燃料ポンプ吐出制御領域とは、プランジャ６２の下死点から吸入弁操作部材９１の作動遅れ分前の角度から、プランジャ上死点までと定義される。「始動制御」中において、前記高圧燃料ポンプ吐出制御領域開始角度（タイミング）認識時に、ソレノイド駆動信号の出力を開始し、前記ソレノイド９０の通電時間TPUMKE分出力し続けることにより、昇圧を行う。通電時間に関して前記TPUMKEの代わりに、TPUMKE相当のクランク角度を使用しても良い。
【００７８】
このようにされることにより、ソレノイド駆動信号の出力開始タイミングが、前記実施形態では始動開始時であったが、本実施形態では、始動開始時点より遅くされるので、ソレノイド９０のトータル通電時間を短縮することができ、より一層、高圧燃料ポンプ６０の耐久性向上及び消費電流低減化等を図ることができる。
【００７９】
以上、本発明の実施形態について詳述したが、本発明は前記実施形態に限定されるものではなく、特許請求の範囲に記載された本発明の精神を逸脱することなく設計において種々の変更ができるものである。
【００８０】
例えば、前記実施形態では、高圧燃料ポンプ６０が排気カムシャフト４９により駆動されるようになっているが、吸気カムシャフト２９あるいはクランクシャフト１８により駆動するようにしてもよい。
【図面の簡単な説明】
【００８１】
【図１】本実施形態の高圧燃料ポンプ制御装置の一実施形態をそれが適用されたエンジンとともに示す全体構成図。
【図２】図１に示される高圧燃料ポンプ制御装置の主要部を構成するコントロールユニットの説明に供されるブロック図。
【図３】高圧燃料ポンプを備えた燃料供給システムの全体構成を示す図１。
【図４】図１に示される高圧燃料ポンプの拡大縦断面図。
【図５】高圧燃料ポンプの動作説明に供されるタイムチャート。
【図６】図５のタイムチャートの補足説明図。
【図７】コントロールユニットが実行する高圧燃料ポンプ制御の機能ブロック図。
【図８】図７に示されるポンプ制御信号算定手段の、より詳細な構成を示す機能ブロック図。
【図９】コントロールユニットによる高圧燃料ポンプ制御のタイムチャート。
【図１０】コントロールユニットによるソレノイド駆動信号の出力制御の説明に供されるタイムチャート。
【図１１】高圧燃料ポンプの吐出流量特性を示す図。
【図１２】コントロールユニットが実行する始動時高圧燃料ポンプ制御の機能ブロック図。
【図１３】コントロールユニットが実行する始動時高圧燃料ポンプ制御の一例のフローチャート。
【図１４】図１３のステップ１３０３での駆動信号出力開始フラグ判定処理の詳細を示すフローチャート。
【図１５】図１３のステップ１３０４で実行する駆動信号出力終了フラグ判定処理の詳細を示すフローチャート。
【図１６】図１４のステップ１４０５での所定期間が経過したか否かの判定に至るまでの処理を示す機能ブロック図。
【図１７】図１６のクランク角度要求値の説明に供されるタイムチャート。
【図１８】本発明に係る高圧燃料ポンプ制御装置の一実施形態の動作・作用効果の説明に供されるタイムチャート。
【図１９】本発明に係る高圧燃料ポンプ制御装置の他の実施形態の動作・作用効果の説明に供されるタイムチャート。
【符号の説明】
【００８２】
１  高圧燃料ポンプ制御装置
１０  エンジン
１８  クランクシャフト
２９  吸気カムシャフト
３０  燃料噴射弁
３６  カム角センサ
３７  クランク角センサ
４７  ポンプ駆動カム
４９  排気カムシャフト
５６  燃圧センサ
６０  高圧燃料ポンプ
６５  吸入弁（燃料通過弁）
９０  ソレノイド（アクチュエータ）
１００  コントロールユニット
【図１】
2008144767.tif 000003
【図２】
2008144767.tif 000004
【図３】
2008144767.tif 000005
【図４】
2008144767.tif 000006
【図５】
2008144767.tif 000007
【図６】
2008144767.tif 000008
【図７】
2008144767.tif 000009
【図８】
2008144767.tif 000010
【図９】
2008144767.tif 000011
【図１０】
2008144767.tif 000012
【図１１】
2008144767.tif 000013
【図１２】
2008144767.tif 000014
【図１３】
2008144767.tif 000015
【図１４】
2008144767.tif 000016
【図１５】
2008144767.tif 000017
【図１６】
2008144767.tif 000018
【図１７】
2008144767.tif 000019
【図１８】
2008144767.tif 000020
【図１９】
2008144767.tif 000021
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、を備えたエンジンの高圧燃料ポンプ制御装置であって、
前記高圧燃料ポンプの吐出量を可変とすべく、前記アクチュエータの駆動信号の出力制御を行う制御手段を有し、
該制御手段は、始動開始から前記アクチュエータ駆動信号を所定のクランク角位相で出力することが可能となるまでの期間内において、始動開始からのクランク角信号を所定回数以上認識したとき、前記アクチュエータ駆動信号の出力を開始することを特徴とする高圧燃料ポンプ制御装置。
【請求項２】
前記制御手段は、前記蓄圧室内の燃料圧力が所定値以下のとき、前記アクチュエータ駆動信号の出力を開始することを特徴とする請求項１に記載の高圧燃料ポンプ制御装置。
【請求項３】
前記制御手段は、エンジン冷却水温度が所定値以下のとき、前記アクチュエータ駆動信号の出力を開始することを特徴とする請求項１又は２に記載の高圧燃料ポンプ制御装置。
【請求項４】
前記制御手段は、前記アクチュエータ駆動信号の前回の出力停止から所定期間が経過したとき、前記アクチュエータ駆動信号の出力を開始することを特徴とする請求項１に記載の高圧燃料ポンプ制御装置。
【請求項５】
前記制御手段は、前記所定期間を、前記アクチュエータ駆動信号の前回の出力時間及び又はクランク角度要求値に基づいて設定することを特徴とする請求項４に記載の高圧燃料ポンプ制御装置。
【請求項６】
前記制御手段は、前記アクチュエータ駆動信号の出力を開始するタイミングを、前記高圧燃料ポンプの吐出範囲を示すクランク角信号又はカム角信号に基づいて設定することを特徴とする請求項１に記載の高圧燃料ポンプ制御装置。
【請求項７】
燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、を備えたエンジンの高圧燃料ポンプ制御装置であって、
前記高圧燃料ポンプの吐出量を可変とすべく、前記アクチュエータの駆動信号の出力制御を行う制御手段を有し、
該制御手段は、始動開始から前記アクチュエータ駆動信号を所定のクランク角位相で出力することが可能となるまでの期間内において、前記アクチュエータ駆動信号を所定期間連続して出力することを特徴とする高圧燃料ポンプ制御装置。
【手続補正２】
【補正対象書類名】明細書
【補正対象項目名】００１４
【補正方法】変更
【補正の内容】
【００１４】
前記目的を達成すべく、本発明に係る高圧燃料ポンプ制御装置は、基本的には、燃料蓄圧室内の燃料を燃焼室に直接噴射するための燃料噴射弁と、加圧室、該加圧室内の燃料を加圧するプランジャ、前記加圧室内に設けられた燃料通過弁、及び、該通過弁を操作するアクチュエータを有し、前記燃料蓄圧室に燃料を圧送する高圧燃料ポンプと、を備えたエンジンに適用されるもので、前記高圧燃料ポンプの吐出量を可変とすべく、前記アクチュエータの駆動信号の出力制御を行う制御手段を有し、該制御手段は、始動開始から前記アクチュエータ駆動信号を所定のクランク角位相で出力することが可能となるまでの期間内において、始動開始からのクランク角信号を所定回数以上認識したとき、前記アクチュエータ駆動信号の出力を開始することを特徴としている。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】